(57)【要約】【課題】コンテンツに複数種類の音声信号が含まれている場合に、音声信号を適切に選択できるコンテンツ処理装置を提供する。【解決手段】本発明に係るコンテンツ処理装置は、コンテンツに複数種類の音声信号が含まれている場合、ユーザがサラウンド音声を聞くように設定していると、サラウンド音声が選択される。また、サラウンド音声が含まれていない場合には、予め設定した順序で音声信号が選択される。したがって、コンテンツを再生する毎に音声信号を選択する必要がなく、音声信号の設定が簡便である。【選択図】図３
2010187158.tif 000002
【特許請求の範囲】
【請求項１】
映像信号と複数種類の音声信号を有するコンテンツの入力を受け付ける入力手段と、
前記複数種類の音声信号のうちいずれかの音声信号と、前記映像信号を出力する出力手段と、
を備えたコンテンツ処理装置において、
ある種類の音声信号の選択を指示する選択指示情報と、前記複数種類の音声信号を選択する順序の情報と、を記憶する記憶手段と、
前記選択指示情報と、前記選択する順序の情報に基づいて、音声信号を選択する選択手段と、
を備えたコンテンツ処理装置。
【請求項２】
前記選択手段は、前記選択指示情報がサラウンド音声信号の選択を指示するものである場合には、前記複数種類の音声信号からサラウンド音声信号を選択する請求項１に記載のコンテンツ処理装置。
【請求項３】
前記選択手段は、前記複数種類の音声信号にサラウンド音声信号が含まれていない場合には、前記選択する順序の情報に基づいて音声信号を選択する請求項２に記載のコンテンツ処理装置。
【請求項４】
前記選択手段は、前記選択する順序の情報に、前記複数の音声信号が含まれていない場合には、前記記憶手段が記憶する選択履歴に基づいて音声信号を選択する請求項３に記載のコンテンツ処理装置。
【発明の詳細な説明】
【技術分野】
【０００１】
本発明は、コンテンツに含まれる複数種類の音声信号から任意の音声信号を選択して出力するコンテンツ処理装置に関する。
【背景技術】
【０００２】
従来、コンテンツの映像をディスプレイに表示し、設定に応じて、コンテンツの音声をテレビ（ディスプレイ）の内部スピーカからモノラル音声またはステレオ音声として出力させたり、外部スピーカからマルチチャンネル音声（サラウンド音声）として出力させたりする構成が知られている（例えば、特許文献１、特許文献２参照。）。
【０００３】
また、近時、欧州のディジタルテレビ放送では、複数種類の音声信号を放送波に重畳することが規定されている。図１は、コンポーネントディスクリプタの記述方法である。図２には、ストリームコンテンツとコンポーネントタイプの種類を示すものである。
【０００４】
欧州ディジタル放送規格(ETSI EN 101 154）［Digital Video Broadcasting (DVB);Specification for the use of Video and Audio Coding in Broadcasting Applications based on the MPEG-2 TransportStream］において、MPEG1、HE-AAC、Dolby Digital（登録商標）Dolby Digital（登録商標） Plusなど複数のコーデックが規定されている。また、欧州ディジタル放送規格(ETSI EN 300 468）［Digital Video Broadcasting (DVB);Specification for Service Information (SI) in DVB systems］において、図１及び図２に示すように、各コーデックとチャンネル数を記述するためのComponent descriptorが規定されている。
【先行技術文献】
【特許文献】
【０００５】
【特許文献１】特開２００８−６１２５１号公報
【特許文献２】特開２００８−２８９５０号公報
【発明の概要】
【発明が解決しようとする課題】
【０００６】
特許文献１に記載したような従来の装置は、前記の欧州ディジタル放送規格に対応していないか、または対応していても、複数種類の音声信号を含む放送波を受信する毎に、どの音声信号を出力させるかを選択しなければならなかった。また、放送局や番組によって、放送波に重畳されている音声信号の種類が異なっていた。そのため、ユーザがテレビ受像機にサラウンドシステムを接続しており、主にサラウンド音声を聞く場合、ユーザは、サラウンド音声を毎回選択しなければならず、音声の選択が煩雑であるという問題があった。
【０００７】
また、放送波にサラウンド音声が含まれていない場合や、モノラル／ステレオ音声を聞く場合にも、毎回音声信号の種類を選択しなければならないという問題があった。
【０００８】
そこで、本発明は、コンテンツに複数種類の音声信号が含まれている場合に、音声信号を適切に選択できるコンテンツ処理装置を提供することを目的とする。
【課題を解決するための手段】
【０００９】
この発明では、ある種類の音声信号の選択を指示する選択指示情報と、複数種類の音声信号を選択する順序の情報と、に基づいて、コンテンツに含まれる複数の音声信号からある種類の音声信号を選択する。したがって、コンテンツを再生する毎に音声信号を選択する必要がなく、音声信号の設定が簡便である。
【００１０】
また、この発明では、前記選択指示情報がサラウンド音声信号の選択を指示するものである場合には、前記複数種類の音声信号からサラウンド音声信号を選択する。したがって、コンテンツを再生する毎にサラウンド音声信号を選択しなくても良くなり、ユーザの利便性が向上する。
【００１１】
また、この発明では、複数種類の音声信号にサラウンド音声信号が含まれていない場合には、選択する順序の情報に基づいて音声信号を選択する。したがって、サラウンド音声がコンテンツに含まれていない場合でも、ユーザが音声信号を選択することなく、自動的に１つの音声を選ぶことができる。
【００１２】
また、この発明では、選択する順序の情報に、前記複数の音声信号が含まれていない場合には、前記記憶手段が記憶する選択履歴に基づいて音声信号を選択する。したがって、確実に音声信号を選ぶことができる。
【発明の効果】
【００１３】
本発明に係るコンテンツ処理装置によると、コンテンツに複数種類の音声信号が含まれている場合、ユーザがサラウンド音声を聞くように設定していると、サラウンド音声が選択される。また、サラウンド音声が含まれていない場合には、予め設定した順序で音声信号が選択される。したがって、コンテンツを再生する毎に音声信号を選択する必要がなく、音声信号の設定が簡便である。
【図面の簡単な説明】
【００１４】
【図１】コンポーネントディスクリプタの記述方法である。
【図２】ストリームコンテンツとコンポーネントタイプの種類を示すものである。
【図３】本発明の実施形態であるセットトップボックスを含むＡＶシステムの概略構成を示すブロック図である。
【図４】セットトップボックスの詳細な構成を示すブロック図である。
【図５】ある番組のＴＳに含まれる音声信号の種類と、条件に応じた選択方法を説明するための図である。
【図６】セットトップボックスの音声信号の選択処理を説明するためのフローチャートである。
【発明を実施するための形態】
【００１５】
以下、本発明のコンテンツ処理装置の一実施形態であるセットトップボックスについて説明する。
【００１６】
図３は、本発明の実施形態であるセットトップボックスを含むＡＶシステムの概略構成を示すブロック図である。ＡＶシステム１００は、セットトップボックス（以下、ＳＴＢと称する。）１０１、モニタ１０２、アンプ１０３、及びスピーカ１０４〜スピーカ１０９から成る。ＳＴＢ１０１は、アンテナ３０で受信したテレビ放送波を復調及びデコードし、映像信号を出力インタフェース（以下、Ｉ／Ｆと称する。）８Ａを介してモニタ１０２に出力する。モニタ１０２は、番組等の映像を表示させる。また、ＳＴＢ１０１は、出力Ｉ／Ｆ８Ｂを介して音声信号をアンプ１０３に出力する。アンプ１０３は、ＳＴＢ１０１から入力された音声信号がサラウンド音声信号の場合には、スピーカ１０４〜１０８にそれぞれ異なる音声信号を出力してサラウンド音声を放音する。また、アンプ１０３は、ＳＴＢから入力された音声信号がモノラル音声信号やステレオ音声信号の場合には、信号に応じて、異なるスピーカに音声信号を出力して、モノラル音声またはステレオ音声を放音する。
【００１７】
図４は、セットトップボックスの詳細な構成を示すブロック図である。ＳＴＢ１０１は、装置の各部の動作を制御する制御部（選択手段）２と、選択されたチャンネル（以下、ＣＨと称する）のテレビ放送波を受信して、テレビ放送波をディジタルデータに復調する受信部（入力手段）４を備える。また、ＳＴＢ１０１は、復調したディジタルデータから映像信号と音声信号とを分離し、両信号を復号化するデコーダ５と、所望のＯＳＤ（On Screen Display）画像を映像信号に合成する画像合成部６を備える。さらに、ＳＴＢ１０１は、映像信号と音声信号を外部接続機器に出力する出力Ｉ／Ｆ（出力手段）８（出力Ｉ／Ｆ８Ａ，出力Ｉ／Ｆ８Ｂ）を備えている。加えて、ＳＴＢ１０１は、ユーザの操作を受け付ける操作部１１と、音声信号の選択情報などを記憶するメモリ１４と、制御プログラムを記憶するＲＯＭ１５と、を備える。
【００１８】
操作部１１は、リモコン２００から送信された信号を受信する受光部１１Ａを有する。操作部１１とリモコン２００とは、同様のキーを有する。
【００１９】
メモリ（記憶手段）１４は、例えばＥＥＰＲＯＭで構成される。メモリ１４は、ユーザが操作部１１またはリモコン２００を操作して入力した、ある種類の音声信号の選択を指示する選択指示情報や、複数種類の音声信号を選択する順序の情報が記録された選択リストを記憶する。例えば、メモリ１４は、選択指示情報として、サラウンド音声信号の選択を指示する情報を記憶する。また、メモリ１４は、複数種類の音声信号を選択リストとして、例えば図２に示したストリームコンテンツとコンポーネントタイプのリストを記憶し、このリストの順番に音声信号を選択するように設定できる。
【００２０】
ＲＯＭ１５は、装置本体各部の制御方法が記述された制御プログラムを予め記憶する。
【００２１】
制御部２は、例えばＣＰＵで構成される。制御部２は、上記制御プログラムにより処理されるデータ等を展開するためのワークフィールドとしてのＲＡＭ（不図示）や、現在時刻を計時する計時部（不図示）を内蔵する。
【００２２】
受信部４は、アンテナ３０で受信しているテレビ放送波から、制御部２の指示に基づいて、選択されている物理チャンネルのテレビ放送波を受信（抽出）し、出力する。そして、受信部４は、テレビ放送波を復調して、ディジタルデータであるトランスポートストリーム（以下、ＴＳと称する。）を取得し、出力する。このＴＳには、各テレビ番組の画像や複数種類の音声等の要素信号が納められたＴＳパケットが多重されている。また、ＴＳに納められた複数の音声信号には、それぞれ識別情報として、図２に示したストリームコンテンツ（stream_content）とコンポーネントタイプ（component_type）の情報を含んでいる。ストリームコンテンツは、ストリームの種類（video, audio, or EBU-data）を表す。また、コンポーネントタイプは、ビデオやオーディオの要素（コンポーネント）の種類を表す。例えば、図４に示したように、ストリームコンテンツが0x02で、コンポーネントタイプが0x03の場合には、MPEG-1 Layer 2のステレオ音声を表す。
【００２３】
デコーダ５は、受信部４から出力されたＴＳから、映像信号と音声信号と制御信号とを分離抽出する。ここで、分離抽出された映像信号は、コンポーネントディスクリプタに基づいて、例えばＭＰＥＧでエンコードされている。そして、デコーダ５は、映像信号をデコード（復号化）して出力する。出力された映像信号は、画像合成部６を介して、出力Ｉ／Ｆ８に入力される。また、デコーダ５は、音声信号をデコード（復号化）して、出力Ｉ／Ｆ８に出力する。
【００２４】
画像合成部６は、文字又は図形からなるＯＳＤ（オンスクリーンディスプレイ）を記憶する画像メモリ（不図示）を内蔵する。画像合成部６は、制御部２の指示に基づいて、映像信号に基づく画像と、画像メモリが記憶しているＯＳＤと、を合成する。画像合成部６は、その合成された映像信号を出力Ｉ／Ｆ８に出力する。または、画像合成部６は、制御部２の指示に基づいて、入力された映像信号をそのまま出力Ｉ／Ｆ８に出力する。
【００２５】
出力Ｉ／Ｆ８は、モニタ１０２やアンプ１０３などの外部接続機器を接続するためのインタフェースである。出力Ｉ／Ｆに用いる規格としては、ＨＤＭＩ（登録商標）やＳＰＤＩＦなどの映像信号や音声信号を転送するための規格が好ましい。図３及び図４に示した構成では、出力Ｉ／Ｆ８Ａが映像信号を出力し、出力Ｉ／Ｆ８Ｂが音声信号を出力する。
【００２６】
モニタ１０２は、セットトップボックス１０１から入力されたディジタルの映像信号をアナログの映像信号に変換して、不図示の表示部に映像を表示する。
【００２７】
また、アンプ１０３は、セットトップボックス１０１から入力されたディジタルの音声信号をアナログの音声信号に変換し、入力された音声信号に含まれる信号数（チャンネル数）に応じて、スピーカ１０４〜スピーカ１０９に音声信号を出力する。例えば、アンプ１０３は、入力された音声信号が、サラウンド音声信号（５．１チャンネルの音声信号）の場合には、スピーカ１０４〜スピーカ１０９のそれぞれに異なる音声信号を出力する。また、アンプ１０３は、入力された音声信号が、モノラル音声信号（１チャンネルの音声信号）の場合には、スピーカ１０４に音声信号を出力する。また、アンプ１０３は、入力された音声信号が、ステレオ音声信号（２チャンネルの音声信号）の場合には、スピーカ１０４とスピーカ１０５に異なる音声信号を出力する。
【００２８】
上記構成のように構成することで、ユーザは、モニタ１０２に表示された映像を見て、スピーカ１０４〜スピーカ１０９から放音された音声を聞くことができる。
【００２９】
次に、図５を参照して、音声信号の選択方法について説明する。図５は、ある番組のＴＳに含まれる音声信号の種類と、条件に応じた選択方法を説明するための図である。
【００３０】
セットトップボックス１０１では、ユーザが、操作部１１またはリモコン２００を操作して、予めサラウンド音声信号を優先的に選択するように設定することができる。この場合、番組（コンテンツ）のＴＳに含まれる複数の音声信号中に、サラウンド音声信号が含まれる場合には、図５（Ａ）に示すように、そのサラウンド音声信号（図ではDolby Digital（登録商標） Plus）を選択する。
【００３１】
番組のＴＳに含まれるサラウンド音声信号は、通常１つであるが、複数含まれる場合には、以下のように設定すると良い。すなわち、ユーザが好みのサラウンド音声信号の種類を予め設定しておき、これをメモリ１４で記憶しておく。放送を受信した際に、番組のＴＳに複数のサラウンド音声信号が含まれている場合には、メモリ１４を参照してサラウンド音声信号を決定する。
【００３２】
また、ユーザのＡＶシステムにおけるスピーカの数（チャンネル数）を予め入力しておくようにしても良い。例えば、ＡＶシステムが５．１チャンネルのサラウンドシステムの場合に、７．１チャンネルや８．１チャンネルの音声信号を選択しても再生できない。そのため、スピーカ数（チャンネル数）を設定しておくことで、確実に再生できる音声信号を選択することができる。
【００３３】
また、セットトップボックス１０１では、サラウンド音声信号を優先的に選択するように設定されていた場合に、番組のＴＳにサラウンド音声が含まれていない場合、及びサラウンド音声信号を優先的に選択するように設定されていない場合には、以下の方法のいずれかを設定することができる。
【００３４】
１．最初に挿入された音声信号を選択
セットトップボックス１０１は、最初に挿入されている音声信号を選択するようにユーザが設定している場合には、図５（Ｂ）に示すように、挿入順が１番目の音声信号（図ではＭＰＥＧ１）を選択する。
【００３５】
２．選択リストに従って音声信号を選択
セットトップボックス１０１は、選択リスト（選択する順序の情報）に従って音声信号を選択するように設定されている場合には、予めユーザが入力した選択リスト（図５（Ｃ）に示すような選択リスト）をメモリ１４から読み出す。そして、制御部２は、この選択リストに設定された選択順に基づいて音声信号を選択する。例えば、制御部２は、音声信号にＨＥ−ＡＡＣ＿ステレオが含まれている場合には、この音声信号を選択する。
【００３６】
３．過去の選択履歴に従って音声信号を選択
セットトップボックス１０１は、選択リストに従ってって音声信号を選択する場合に、選択リストにリストアップされた（挙がっている）音声信号が、番組のＴＳに含まれていない場合には、過去の選択履歴に従って音声信号を選択する。すなわち、セットトップボックス１０１は、過去の一定期間において、選択した音声信号の種類を記憶している。制御部２は、選択リストに挙がっている音声信号がＴＳに含まれていない場合には、メモリ１４を参照して過去の選択履歴を確認し、この履歴に含まれる音声信号を選択する。なお、ＴＳに含まれる音声信号が複数、過去の選択履歴に含まれる場合には、過去の選択回数が最も多い音声信号を選択するように設定すると良い。
【００３７】
なお、番組のＴＳに含まれる音声信号が、過去の選択履歴にも無い場合には、制御部２は、ユーザに所望の音声信号を選択するように促す内容をモニタ１０２に表示させたり、上記の内容を音声で報知したりするように構成すると良い。
【００３８】
次に、セットトップボックス１０１の音声信号の選択処理をフローチャートに基づいて説明する。図６は、セットトップボックスの音声信号の選択処理を説明するためのフローチャートである。
【００３９】
セットトップボックス１０１の制御部２は、ＴＳに含まれる音声信号の種類が変わらない間は待機している（ｓ１０：Ｎ）。
【００４０】
制御部２は、ユーザが装置の電源をオンにしたり、チャンネルを変更したり、放送中の番組が別の番組に変わったりして、番組のＴＳに含まれる音声信号の種類が変わったことを検出すると（ｓ１０：Ｙ）、メモリ１４が記憶するサラウンド音声信号を優先的に選択するように設定されているか否かを確認する（ｓ２０）。
【００４１】
制御部２は、サラウンド音声信号を優先的に選択するように設定されている場合には（ｓ２０：Ｙ）、番組のＴＳにサラウンド音声が含まれているか否かを確認する（ｓ３０）。制御部２は、番組のＴＳにサラウンド音声が含まれている場合には（ｓ３０：Ｙ）、そのサラウンド音声を選択し（ｓ４０）、続いてステップｓ１０の処理を行う。
【００４２】
一方、制御部２は、ステップｓ２０においてサラウンド音声信号を優先的に選択するように設定されていない場合（ｓ２０：Ｎ）、及びステップｓ３０において番組のＴＳにサラウンド音声が含まれていない場合には（ｓ３０：Ｙ）、以下の処理を行う。
【００４３】
すなわち、制御部２は、メモリ１４の記憶内容を確認し、最初に挿入されている音声信号を選択するようにユーザが設定している場合には（ｓ５０：Ｙ）、挿入順が１番目の音声信号を選択する（ｓ６０）。続いてステップｓ１０の処理を行う。
【００４４】
また、制御部２は、選択リスト（選択する順序の情報）に従って音声信号を選択するように設定されている場合には（ｓ５０：Ｎ、ｓ７０：Ｙ）、予めユーザが入力した選択リストをメモリ１４から読み出す。そして、制御部２は、選択リスト中の音声信号が番組のＴＳに含まれている場合には（ｓ８０：Ｙ）、この選択リストに設定された選択順に基づいて音声信号を選択する（ｓ９０）。続いてステップｓ１０の処理を行う。
【００４５】
また、制御部２は、選択リスト中の音声信号が番組のＴＳに含まれていない場合には（ｓ８０：Ｎ）、メモリ１４を参照して過去の選択履歴を確認する。そして、制御部２は、番組のＴＳに含まれる音声信号が、過去の選択履歴に含まれている場合には（ｓ１００：Ｙ）、過去の選択回数が最も多い音声信号を選択する（ｓ１１０）。続いてステップｓ１０の処理を行う。
【００４６】
一方、制御部２は、番組のＴＳに含まれる音声信号が、過去の選択履歴に含まれていない場合（ｓ１００：Ｎ）、及びステップｓ７０において、選択リストに従って音声信号を選択するように設定されていない場合（ｓ７０：Ｎ）には、ユーザに所望の音声信号を選択するように促す内容をモニタ１０２に表示させるか、または上記の内容を音声で報知する（ｓ１２０）。
【００４７】
制御部２は、ユーザにより音声信号が選択されたことを検出するまで、報知を続け（ｓ１３０：Ｎ）、ユーザにより音声信号が選択されたことを検出すると（ｓ１３０：Ｙ）、続いてステップｓ１０の処理を行う。
【００４８】
以上のように、ＳＴＢ１０１は、番組のＴＳに複数の音声信号が含まれている場合に、サラウンド音声を選択するように設定されている場合には、自動的にサラウンド音声を選択する。また、ＳＴＢ１０１は、ＴＳにサラウンド音声が含まれていない場合には、予め設定した方法に基づいて音声信号を選択する。したがって、ユーザはチャンネルや番組が変わる毎に音声の設定を行う必要がなく、サラウンド音声を楽しみながら番組を視聴できる。
【００４９】
なお、以上の説明では、ディジタルテレビ放送の放送波を受信する場合を例に挙げて説明したが、本発明はこれに限るものではなく、他の方法でも良い。例えば、光ディスクやハードディスクなどの記録媒体に記録したコンテンツであって、映像信号と複数の音声信号とを含むコンテンツを再生する再生部を、ＳＴＢ１０１の受信部４と置き換えるかまたは追加すると良い。これにより、上記の記録媒体に記録したコンテンツに対しても、本発明を適用できる。
【符号の説明】
【００５０】
２…制御部      ４…受信部      ５…デコーダ      ６…画像合成部      ８，８Ａ，８Ｂ…出力インタフェース（Ｉ／Ｆ）      １１…操作部      １４…メモリ      １５…ＲＯＭ      ３０…アンテナ      １００…ＡＶシステム      １０１…セットトップボックス（ＳＴＢ）      １０２…モニタ      １０３…アンプ      １０４〜１０９…スピーカ      ２００…リモコン
【図１】
2010187158.tif 000003
【図２】
2010187158.tif 000004
【図３】
2010187158.tif 000005
【図４】
2010187158.tif 000006
【図５】
2010187158.tif 000007
【図６】
2010187158.tif 000008